(57)【要約】  【課題】  本発明は、合成画像の印刷サービスを提供するに際し、画像印刷に用いる素材選択の自由度を格段に高め、シールの販売機器等を小型化すると共に、複数台の機器を接続してネットワークを形成することも可能とし、多様かつ柔軟なサービスを提供できる新規な合成画像印刷システムを実現する。  【解決手段】  携帯電話端末３０がもつカメラ撮影機能、画像合成機能を利用し、素材の収集段階は、ユーザＰが、自己の携帯端末を用いて自由に行うようにする。サービス拠点装置２０は、画像合成用のオリジナル素材の提供と写真シール等の印刷に特化した構成とする。オリジナル素材の提供処理（フェーズ１）ならびに合成画像の受け渡し（フェーズ３）は、短距離データ通信インタフェースを用いて行い、これによって、ユーザＰに必ず足を運ばせることができ、集客効果やリピータを増やす効果を得る。【選択図】  図１
2006293469.tif 000002
【特許請求の範囲】
【請求項１】
短距離データ通信を行う携帯端末通信手段、撮像手段、および、画像を編集する画像合成手段、を備える携帯端末装置と、短距離データ通信を行うサービス拠点通信手段、画像の編集に利用可能なオリジナル素材画像を記憶する素材記憶手段、および、画像を印刷する画像印刷手段、を備える、少なくとも一つのサービス拠点装置と、から構成される合成画像印刷システムであって、
前記サービス拠点装置のサービス拠点通信手段は、前記素材記憶手段に記憶したオリジナル素材画像を、前記携帯端末装置に送信し、
前記携帯端末装置の画像合成手段は、少なくとも前記撮像手段を含む携帯端末装置の機能を利用して収集または作成した画像と、前記携帯端末通信手段により前記サービス拠点装置から受信したオリジナル素材画像と、を合成して、合成画像を生成し、
前記携帯端末装置の携帯端末通信手段は、前期画像合成手段により生成した合成画像を、前記サービス拠点装置に送信し、
前記サービス拠点装置の画像印刷手段は、前記サービス拠点通信手段により前記携帯端末装置から受信した合成画像を、印刷する、
合成画像印刷システム。
【請求項２】
請求項１記載の合成画像印刷システムであって、
前記携帯端末装置の携帯端末通信手段および前記サービス拠点装置のサービス拠点通信手段は、有効距離に制限がある有線通信方式または無線通信方式に対応している、ことを特徴とする合成画像印刷システム。
【請求項３】
請求項１または請求項２記載の合成画像印刷システムであって、
前記サービス拠点装置の素材記憶手段は、前記オリジナル素材画像に対応させて、前記携帯端末装置の画像合成手段による編集を許可する使用可能条件を記憶しており、
前記携帯端末装置の画像合成手段は、前記使用可能条件が満たされている間、前記携帯端末通信手段により前記サービス拠点装置から受信したオリジナル素材画像を合成して、合成画像を生成する、ことを特徴とする合成画像印刷システム。
【請求項４】
携帯端末装置と短距離データ通信を行うサービス拠点通信手段と、
前記携帯端末装置による画像の編集に利用可能なオリジナル素材画像を記憶する素材記憶手段と、
画像を印刷する画像印刷手段と、
を備えるサービス拠点装置であって、
前記サービス拠点通信手段は、前記素材記憶手段に記憶したオリジナル素材画像を、前記携帯端末装置に送信し、
前記画像印刷手段は、前記サービス拠点通信手段により前記携帯端末装置から受信した、前記携帯端末装置により編集されたオリジナル素材画像を印刷する、
サービス拠点装置。
【請求項５】
短距離データ通信機能、撮像機能および画像合成機能を備える携帯端末装置と、短距離データ通信機能、画像合成用のオリジナル素材画像の提供機能および画像印刷機能を備える少なくとも一つのサービス拠点装置と、を組み合わせて使用して、前記携帯端末装置のユーザに画像合成印刷サービスを提供する合成画像印刷サービス提供方法であって、
前記オリジナル素材画像を前記携帯端末装置に提供することに対する料金の支払いを条件として、前記オリジナル素材画像を、前記サービス拠点装置から前記携帯端末装置に、短距離データ通信によって提供する第１のステップと、
前記携帯端末装置が、前記携帯端末装置の撮像機能や他の機能を用いて収集または作成された画像と、前記サービス拠点装置から提供された前記オリジナル素材画像と、を合成して合成画像を生成する第２のステップと、
前記携帯端末が、前記サービス拠点装置に前記合成画像を、短距離データ通信により送信する第３のステップと、
前記サービス拠点装置の画像印刷機能を利用することに対する料金の支払いを条件として、前記サービス拠点装置が備える前記画像印刷機能を利用して前記合成画像を印刷する第４のステップと、
を含むことを特徴とする合成画像印刷サービス提供方法。
【請求項６】
請求項５記載の合成画像印刷サービス提供方法であって、
前記第１のステップにおいて前記サービス拠点装置から前記携帯端末に提供される前記オリジナル素材画像には、前記携帯端末装置による編集を許可する使用可能条件が付加されており、
前記第２のステップにおいて前記使用可能条件が満たされている間、前記オリジナル素材画像の使用して合成画像を生成する、ことを特徴とする合成画像印刷サービス提供方法。
【発明の詳細な説明】
【技術分野】
【０００１】
本発明は、携帯端末を用いた合成画像印刷サービス方法、この方法を実施するサービスシステムおよびサービス拠点装置に関する。
【背景技術】
【０００２】
従来、画像合成処理を利用した、スタンドアロンタイプの顔写真シール販売機が知られている。ユーザは、顔写真シール販売機に料金を投入した後、その販売機に備わっているカメラを使用してユーザ自身の顔写真を撮影する。撮影された画像は、備え付けの素材画像と合成され、その合成画像が顔写真シールとして販売機から出力される。
【０００３】
また、特許文献１には、カメラ付き携帯電話機に記録されている画像をシール写真印刷販売機に受け渡し、その受け渡された画像に基づいてシール写真を印刷する画像印刷システムが開示されている。
【０００４】
また、従来、ＵＳＢケーブルに接続可能な携帯電話機が提案されており（特許文献２）、また、非接触ＩＣカードを内蔵する携帯電話機が提案されている（特許文献３）。
【０００５】
また、画像合成処理機能をもつ携帯電話機が提案されている（特許文献４）。
【０００６】
【特許文献１】特開２００４−１１７９９５号公報
【特許文献２】特開２００３−１５８５６１号公報
【特許文献３】特開２００４−５６４１３号公報
【特許文献４】特開２００４−３２６６３号公報
【発明の開示】
【発明が解決しようとする課題】
【０００７】
従来の顔写真シール販売機（あるいは特許文献１のシール写真印刷販売機）によってシールを作成するためには、ユーザ自身の顔写真の撮影（あるいは、携帯電話機内に記録されている画像の受け渡し）、画像合成に使用する素材画像（背景、外枠、ワンポイントキャラクタ、ロゴマーク等）の選択、画像合成、合成結果の確認、シール印刷とその出力の一連の処理を、すべてを、顔写真シール販売機（シール写真印刷販売機）にて実施する必要がある。
【０００８】
このため、必然的に以下のような制限が生じる。
【０００９】
（１）ユーザは、一連の処理が終わるまで、顔写真シール販売機（シール写真印刷販売機）の前で待つ必要があり、ユーザが拘束される時間が長い。
【００１０】
（２）シール作成を行う際に、その場で顔写真を撮影するか、あるいは、その時点までに、カメラ付き携帯電話機を用いて顔写真を撮影しておく（かつ、使用する顔写真を決めておく）必要がある。前者の場合には、画像合成に使用する顔写真の選択肢が少なく、また、顔写真の自由な変更ができない。また、後者の場合、ユーザの好みの画像を使用できるものの、画像合成後の画像の確認は、そのシール写真印刷販売機内で画像合成処理が行われた後に、その販売機の前でしか行うことができない。したがって、画像合成の結果が気に入らない場合には、使用する画像を再度指定し、一連の処理を最初からやり直す必要があり、ユーザの要求を反映した自在なシール作成ができない場合がある。
【００１１】
（３）顔写真シール販売機（シール写真印刷販売機）は、一連の処理をすべて実施する必要があることから、かなり大がかりな装置となり、相当の設置スペース、設置コストが必要となる。したがって、顔写真シール販売機（シール写真印刷販売機）の設置されるエリア（設置可能なエリア）が限定されがちである（例えば、ゲームセンターやデパートのおもちゃ売場等に設置場所が限定されがちである）。また、スタンドアロンタイプの装置となることから、組織的なサービスシステムを構築するのがむずかしい、という側面もある。
【００１２】
したがって、例えば、テーマパークにおけるアトラクション利用時の長い待ち時間を利用して、手軽に、記念に残すための顔写真シールの作成を行うといったことはできず、また、レストランや居酒屋などのスペースの限られた場所に、顔写真シール販売機（シール写真印刷販売機）を設置することもむずかしい。
【００１３】
（４）従来のシール作成サービスは、合成した画像シールを「印刷する点」に重点があり、ユーザが、素材の自由な選択を楽しんだり、画像合成の仕方を楽しんだりするという点も含めた、総合的な（つまり、シール作成までの各段階を有機的に統合した組織的な）サービスの提供という観点では不十分な点がある。
【００１４】
本発明は、上記事情に鑑みてなされたものであり、合成画像の印刷サービスを提供するに際し、ユーザがシール販売機等に拘束される時間を短くし、画像印刷に用いる素材選択の自由度を格段に高め、画像合成の態様もユーザが適宜、選択できるようにし、シールの販売機器等を小型化すると共に、複数台の機器を接続してネットワークを形成することも可能として、ユーザが多様なエリアでサービスを受けることを可能とし、これらによって、多様かつ柔軟なサービスを提供できる合成画像印刷システム、そのシステムに用いるサービス拠点装置、および、合成画像印刷サービス提供方法を提供することを目的とする。
【課題を解決するための手段】
【００１５】
本発明の合成画像印刷システムは、短距離データ通信を行う携帯端末通信手段、撮像手段、および、画像を編集する画像合成手段、を備える携帯端末装置と、短距離データ通信を行うサービス拠点通信手段、画像の編集に利用可能なオリジナル素材画像を記憶する素材記憶手段、および、画像を印刷する画像印刷手段、を備える、少なくとも一つのサービス拠点装置と、から構成される合成画像印刷システムであって、前記サービス拠点装置のサービス拠点通信手段が、前記素材記憶手段に記憶したオリジナル素材画像を、前記携帯端末装置に送信し、前記携帯端末装置の画像合成手段が、少なくとも前記撮像手段を含む携帯端末装置の機能を利用して収集または作成した画像と、前記携帯端末通信手段により前記サービス拠点装置から受信したオリジナル素材画像と、を合成して、合成画像を生成し、前記携帯端末装置の携帯端末通信手段が、前期画像合成手段により生成した合成画像を、前記サービス拠点装置に送信し、前記サービス拠点装置の画像印刷手段が、前記サービス拠点通信手段により前記携帯端末装置から受信した合成画像を、印刷する、ものである。
【００１６】
この構成により、テーマパーク等のエリア内に複数台のサービス拠点装置を設置すると共に、ユーザの利用状況を集中的に管理し、各人のサービス利用に対し的確に課金を行うことが可能となる。ユーザは身近にあるサービス拠点装置を使用して、どこででも手軽にサービスを受けることができ、さらに、提供するオリジナル素材を各サービス拠点装置の設置場所に対応させて異ならせたり、そのエリア内のアトラクションの利用状況に応じてサービス料金を割り引く等の、そのエリアならではの総合的なサービスの提供も可能となり、自由度の高いサービスシステムが構築される。
【００１７】
本発明の合成画像印刷サービス提供方法は、短距離データ通信機能、撮像機能および画像合成機能を備える携帯端末装置と、短距離データ通信機能、画像合成用のオリジナル素材画像の提供機能および画像印刷機能を備える少なくとも一つのサービス拠点装置と、を組み合わせて使用して、前記携帯端末装置のユーザに画像合成印刷サービスを提供する合成画像印刷サービス提供方法であって、前記オリジナル素材画像を前記携帯端末装置に提供することに対する料金の支払いを条件として、前記オリジナル素材画像を、前記サービス拠点装置から前記携帯端末装置に、短距離データ通信によって提供する第１のステップと、前記携帯端末装置が、前記携帯端末装置の撮像機能や他の機能を用いて収集または作成された画像と、前記サービス拠点装置から提供された前記オリジナル素材画像と、を合成して合成画像を生成する第２のステップと、前記携帯端末が、前記サービス拠点装置に前記合成画像を、短距離データ通信により送信する第３のステップと、前記サービス拠点装置の画像印刷機能を利用することに対する料金の支払いを条件として、前記サービス拠点装置が備える前記画像印刷機能を利用して前記合成画像を印刷する第４のステップと、を含むことを特徴とするものである。
【００１８】
携帯端末がもつデータ通信機能や画像処理（画像合成）機能に着目し、画像の撮影（あるいは画像の作成）ならびに画像合成は、携帯端末を用いてユーザ自身に行わせ、所定エリアに設置するサービス拠点装置には、オリジナル素材の提供と印刷のみに特化したサービスを行わせるものである。ユーザは、最初にサービス拠点装置からオリジナル素材を受け取り（第１のステップ）、その後は、自己の携帯端末を用いて画像収集、作成を自由に行い、その収集、作成した画像と提供されたオリジナル素材との画像合成も、自分の好みに合わせて自由に行い（第２のステップ）、そして、その合成画像をサービス拠点装置に受け渡し（第３のステップ）、サービス拠点装置により印刷し、シール等として出力させる（第４のステップ）。ユーザは、オリジナル画像の提供を受ける時と印刷時のみサービス拠点装置の前に居ればよく、拘束時間が短縮化され、ユーザ自身が画像収集、作成、画像合成を自由に行うことができるため、ユーザの趣向を印刷画像に、柔軟かつ的確に反映させることができる。サービス拠点装置は機能が少ない分だけ小型化され、狭いスペースにも設置できるようになる。テーマパーク等のエリア内に複数台のサービス拠点装置を設置し、ユーザの利用状況を集中的に管理すれば、ユーザは身近にあるサービス拠点装置を使用して、どこででも手軽にサービスを受けることが可能となる。また、オリジナル素材の提供は、有効距離に制限のある短距離データ通信によって行われるため、そのサービスを受けるためには、ユーザは、必ずサービス拠点装置が設置されているエリアに足を運ぶ必要があり、したがって、この画像印刷サービスは集客効果も発揮し、サービスの付加価値が高い。また、本方法では、画像印刷までの各段階から、画像撮影（画像作成）段階および画像合成段階を切り離し、オリジナル素材の提供サービスと印刷サービスのみに課金するため、サービス料金の低価格化も行える。さらに、提供するオリジナル素材を各サービス拠点装置の設置場所に対応させて異ならせたり、そのエリア内のアトラクションの利用状況に応じてサービス料金を割り引く等の、そのエリアならではの総合的なサービスを提供することも可能となる。したがって、多様かつ柔軟なサービスを提供できる新規な画像印刷サービスを実現できる。
【００１９】
また、本発明の合成画像印刷システムは、前記携帯端末装置の携帯端末通信手段および前記サービス拠点装置のサービス拠点通信手段は、有効距離に制限がある有線通信方式または無線通信方式に対応している、ことを特徴とするものを含む。
【００２０】
例えば、ＵＳＢケーブルを用いた有線による短距離データ通信、赤外線を用いた無線による短距離データ通信等によって、オリジナル素材の提供や印刷対象の合成画像の受け渡しを行うものである。有効距離に制限のある短距離データ通信を用いるため、本サービスを利用するためには、ユーザはそのエリアに足を運ぶ必要があり、したがって、提供するオリジナル素材のご当地性を確保でき、また、本サービスによる集客効果も期待できる。
【００２１】
また、本発明の合成画像印刷システムは、前記サービス拠点装置の素材記憶手段が、前記オリジナル素材画像に対応させて、前記携帯端末装置の画像合成手段による編集を許可する使用可能条件を記憶しており、前記携帯端末装置の画像合成手段が、前記使用可能条件が満たされている間、前記携帯端末通信手段により前記サービス拠点装置から受信したオリジナル素材画像を合成して、合成画像を生成する、ことを特徴とするものを含む。
【００２２】
また、本発明の合成画像印刷サービス提供方法は、前記第１のステップにおいて前記サービス拠点装置から前記携帯端末に提供される前記オリジナル素材画像には、前記携帯端末装置による編集を許可する使用可能条件が付加されており、前記第２のステップにおいて前記使用可能条件が満たされている間、前記オリジナル素材画像の使用して合成画像を生成する、ことを特徴とするものを含む。
【００２３】
一度提供したオリジナル素材について、使用可能条件（使用可能や頻度や使用可能な期間等）を付けておき、その条件が満足された後はオリジナル素材の利用を不可能とするものである。これにより、本サービスが気に入ったユーザが、そのサービスを再び利用するためには、必ずそのエリアに足を運ぶ必要があり、したがって、リピータ（繰り返し訪れる顧客）を増やす効果を期待できる。
【００２４】
本発明のサービス拠点装置は、携帯端末装置と短距離データ通信を行うサービス拠点通信手段と、前記携帯端末装置による画像の編集に利用可能なオリジナル素材画像を記憶する素材記憶手段と、画像を印刷する画像印刷手段と、を備えるサービス拠点装置であって、前記サービス拠点通信手段が、前記素材記憶手段に記憶したオリジナル素材画像を、前記携帯端末装置に送信し、前記画像印刷手段が、前記サービス拠点通信手段により前記携帯端末装置から受信した、前記携帯端末装置により編集されたオリジナル素材画像を印刷する、ものである。
【００２５】
この構成によれば、本発明のサービス拠点装置は、撮像機能や画像処理（画像合成）機能が省かれていることから、その分だけ小型化が可能であり、狭いスペースにも設置できる。したがって、テーマパークにおける人気のあるアトラクションの入場ゲート付近の空き地に所定間隔で複数台のサービス拠点装置を配置することもでき、また、レストランや居酒屋などのスペースの限られた場所にも設置することができる。また、共通の課金データベース等を接続する等の工夫により、複数台のサービス拠点装置をネットワーク化することも容易である。
【発明の効果】
【００２６】
本発明によって、合成画像の印刷サービスを提供するに際し、ユーザがシール販売機等に拘束される時間を短くすることができる。
【００２７】
また、画像印刷に用いる素材選択の自由度を格段に高めることができる。思い出に残るシーンをタイムリーに撮影しておき、その後にシールとして印刷することもでき、したがって、記念に残る楽しいシーンを取り込んだ、価値のある顔写真シールを作成することが可能となる。
【００２８】
また、画像合成の態様もユーザが適宜、選択できるようになり、多様な画像合成が可能となる。
【００２９】
また、オリジナル素材の提供は、有効距離に制限のある短距離データ通信によって行われるため、そのサービスを受けるためには、ユーザは、必ずサービス拠点装置が設置されているエリアに足を運ぶ必要があり、したがって、提供されるオリジナル素材のご当地性を確保できると共に集客効果も期待できる。
【００３０】
また、提供されるオリジナル素材に有効期限や使用頻度等の制限を課すことによって、リピータを増やす効果も期待できる。
【００３１】
また、本発明のサービス方法では、オリジナル素材の提供サービスと印刷サービスのみに課金するため、サービス料金の低価格化も行える。
【００３２】
また、サービス拠点装置は、機能が簡略化されている分、装置の小型化が可能であり、省スペース化、装置コストの低減が可能となる。
【００３３】
また、複数台のサービス拠点装置を接続してネットワークを形成することも容易にでき、したがって、ユーザが、身近なサービス拠点装置を利用して、手軽にサービスを受けることも可能となる。
【００３４】
また、提供するオリジナル素材を各サービス拠点装置の設置場所に対応させて異ならせたり、そのエリア内のアトラクションの利用状況に応じてサービス料金を割り引く等の、そのエリアならではの総合的なサービスの提供も可能となり、自由度の高い、組織的なサービスシステムを構築できる。
【００３５】
本発明によって、テーマパークにおけるアトラクション利用時の長い待ち時間を利用して、手軽に、記念に残すための顔写真シールの作成を行うことや、レストランや居酒屋などにおいて、会食や宴会の楽しい雰囲気を反映させた、思い出に残る顔写真シールをタイムリーに作成することができるようになる。
【００３６】
したがって、ユーザにとっても、また、サービス拠点装置が設置された場所で営業している営業者にとっても有益な、新規な画像印刷サービスを実現することができる。
【００３７】
このように、本発明によれば、テーマパークなどの長い待ち時間などを利用するなど、物理的、時間的に自由な状況下で記念に残すための顔写真シール等の作成を行うことができる画像印刷サービスを実現することができる。
【００３８】
また、レストランや居酒屋などのスペースの限られた場所においても利用可能な画像印刷サービスを実現することができる。
【００３９】
また、サービス拠点装置が保有する合成フレーム情報（オリジナル素材情報）を確認した上で、ベースとなる素材(主に写真)の構図などを適宜変更でき、よりユーザの要求をシールのデザインに反映することが可能な画像印刷サービスを実現することができる。
【００４０】
また、携帯端末（携帯電話端末等）からの料金支払いによる課金の仕組みをつくり、上記のサービスを、営業として成り立つ有料サービスとして成立させることができる。
【発明を実施するための最良の形態】
【００４１】
次に、本発明の実施形態について図面を参照して説明する。
（第１の実施形態）
【００４２】
図１は、本発明の携帯端末（ここでは、携帯電話端末とする）を使用した画像印刷サービス方法の特徴点を説明するための図である。
【００４３】
所定エリア１００（例えば、テーマパークの敷地、ゲームセンター等のアミューズメント施設、居酒屋等の人が憩う場所）内に、一又は複数のサービス拠点装置２０が設置されている。
【００４４】
サービス拠点装置２０は、そのエリア１００ならではのオリジナル素材（画像合成用のオリジナル写真、ワンポイントマーク、ロゴ、キャッチフレーズ等）を蓄積している合成素材データベース２１と、写真シール５０を印刷して出力する写真シール印刷デバイス（写真シール印刷機）２２と、を有する。
【００４５】
また、一又は複数のサービス拠点装置２０の各々には、課金管理装置４２が（例えば、有線通信路を介して）接続されている。この課金管理装置４２によって、ユーザ毎に利用状況を把握して課金を管理することができる。この課金管理装置４２は、料金支払い者管理データベース（ＤＢ）を内蔵する。
【００４６】
また、ユーザ（ＰあるいはＵ）が所有する携帯電話端末３０は、カメラ３２と、短距離データインタフェース（Ｉ／Ｆ）３４と、画像合成部３６と、画像メモリ３８と、を有する。
【００４７】
短距離データインタフェース（Ｉ／Ｆ）３４は、具体的には、管理データの授受を行うための非接触ＩＣカードインタフェースと、オリジナル素材ならびに合成済みの画像データの受け渡しに使用するＵＳＢケーブルインタフェース（あるいは赤外線インタフェース等の短距離無線インタフェースでもよい）である。
【００４８】
本発明の画像印刷サービス方法は、３つの段階、すなわち、フェーズ１（オリジナル素材の提供段階）と、フェーズ２（自由な画像収集と画像作成、オリジナル素材と収集した画像との画像合成、ならびに合成画像の確認段階）と、フェーズ３（合成画像の受け渡し、写真シールの印刷段階）と、に大別される。
【００４９】
従来の顔写真販売機では、顔写真シールの印刷までの一連の処理をすべて実施していたが、本発明の方法では、携帯端末が備える充実したデータ通信機能や画像処理機能に着目し、画像収集ならびに画像合成に関する処理（カメラ撮影による画像収集あるいは画像処理を用いた画像の作成、収集および作成された画像と提供されたオリジナル素材との画像合成、合成画像の確認を含む）を、一連の処理から切り離し、この処理については、ユーザが、自身の携帯端末を用いて自由に行うようにする。
【００５０】
これによって、画像印刷に用いる素材選択の自由度を格段に高め、画像合成の態様もユーザが、適宜、選択できるようになる。
【００５１】
ただし、素材選択の自由度が向上するといっても、画像の受け渡しには短距離データ通信を使用することによって、場所的な自由度には制限が付されており、ユーザは、本画像印刷サービスを受けるためには、サービス拠点装置２０が設置されているエリア１００に必ず足を運ぶ必要があり、このことによって、サービス拠点装置２０が提供するオリジナル素材のご当地性が確保され、また、集客効果ならびにリピータ（再訪者）を増やす効果を生じさせる。
【００５２】
また、サービス拠点装置２０の機能が簡単化されているため、その分、装置の小型化、軽量化が可能であり、離れた位置に複数台の装置を設置することが可能となり、あるいは、スペースの少ない場所にも設置できるようになる。
【００５３】
また、そのエリア１００における営業と深く結びつけた、組織的なサービス展開も行い易くなる。
（第２の実施形態）
【００５４】
図２は、本発明の携帯端末を使用した画像印刷サービス方法の運用態様の一例（テーマパークにおける運用例）を説明するための図である。
【００５５】
図２において、テーマパーク２には、入場ゲート１０と、退場ゲート１２と、３つのアトラクション（Ｘ１、Ｙ１、Ｚ１）を備えており、また、各アトラクションの入場待ちを行う箇所付近には、所定間隔をおいて、複数台の（ネットワーク化された）サービス拠点装置２０ａ〜２０ｅが設けられている。
【００５６】
携帯端末３０のユーザＰは、友達Ｕと共に、入場ゲートからテーマパーク１０２に入場する。
【００５７】
そして、最初に、身近にあるサービス拠点装置２０ｄに自己の携帯端末３０を接続し、非接触ＩＣカードを用いた通信路Ｑを介して、認証用データならびに料金の支払いを行うと共に、同時に、サービス拠点装置２０ｄから、ＵＳＢケーブル等の短距離データ通信伝送路Ｒを介して、画像合成用オリジナル素材データ、付随情報ならびに制限項目データ等の提供を受ける（フェーズ１）。
【００５８】
ユーザＰの利用状況は、課金管理装置４２内の料金支払い者管理データベース（ＤＢ）４０にて一元的に管理される。
【００５９】
ユーザＰと友達Ｕは、アトラクションＹ１に移動し、待ち時間等を利用して、記念撮影をし、画像合成部３６（図１参照）を用いて、その撮影画像と提供されたオリジナル素材との画像合成処理を実施し、お気に入りの合成画像を携帯端末３０の内の画像メモリ３８（図１参照）に保存する（フェーズ２）。
【００６０】
そして、帰り際に、ユーザＰは、自己の携帯端末３０を最寄りのサービス拠点装置２０ｅに接続して、短距離データ通信を利用して、印刷対象の合成画像をサービス拠点装置２０ｅに受け渡す。サービス拠点装置２０ｅは料金の支払いを条件として、印刷処理を実施し、その結果として、顔写真シール５０が出力される（フェーズ３）。
【００６１】
図２の上側に示されるように、この顔写真シールは、ユーザＰと友達Ｕが仲良く中央に収まると共に、オリジナル素材の外枠ＳＴにより装飾され、かつ、右前には、そのテーマパーク１０２の人気キャラクタ（ご当地性の高いワンポイントキャラクタ）ＭＳが合成される。これに、日付スタンプや、メッセージ文、ロゴ、一言セリフ等の文字情報を付加することもできる。
【００６２】
このように、思い出に残るシーンをタイムリーに画像として収集し、ご当地性の高いオリジナル素材と合成して、その日の記念になる価値ある印刷画像（顔写真シール等）５０を作成することができる。
（第３の実施形態）
【００６３】
本実施形態では、本発明の携帯端末を使用した画像印刷サービス方法に使用される、携帯端末（携帯電話機）とサービス拠点装置の具体的な内部構成（ならびに、本発明のサービスシステムの全体構成）と、携帯端末（携帯電話機）とサービス拠点装置間の情報の授受の具体的な態様について説明する。
【００６４】
図３は、本発明の携帯端末を使用した画像印刷サービス方法に使用される、携帯電話機とサービス拠点装置の具体的な内部構成（ならびに、本発明のサービスシステムの全体構成）を示すブロック図である。図３において、前掲の図面と共通する部分には、共通の参照符号を付してある。
【００６５】
携帯電話機３０は、アンテナＡＮと、無線通信部３１と、カメラ３２と、制御部３３と、データ通信インタフェース（Ｉ／Ｆ）３４と、ネットワーク接続部３５と、画像合成処理部３６と、表示部３７と、操作部３９と、画像メモリ３８を内蔵する画像管理データベース４５と、を有する。
【００６６】
カメラ３２は、被写体ＯＪを撮影する。
【００６７】
表示部３７は、液晶ディスプレイ等からなり、サービス画面、処理画面等をユーザＰに提示する。
【００６８】
ユーザＰは、操作部３９を介して、処理選択操作、画像合成操作ならびに撮影操作等を行う。
【００６９】
また、データ通信インタフェース（Ｉ／Ｆ）３４は、通信デバイスＡ（ＵＳＢや赤外線通信機などのデータ転送機器）４１と、通信デバイスＢ（非接触ＩＣカード）４３と、を備える。
【００７０】
一方、所定エリア１００内に設けられた複数のサービス拠点装置２０ａ〜２０ｄの各々は、通信デバイスＡ（ＵＳＢや赤外線通信機などのデータ転送機器）と、通信デバイスＢ（非接触ＩＣカード）２６と、合成素材データベース２１と、写真シール印刷デバイス２２と、制御部２３と、ネットワーク接続デバイス２４と、を有する。
【００７１】
上記のシステムにおいて、通信デバイスＡは、印刷素材データ、素材付随データ、処理コマンド、個人認証データならびに印刷用画像データの受け渡しに使用される。また、通信デバイスＢは、個人認証データならびに料金情報の受け渡しに使用される。
【００７２】
図４は、サービス拠点装置と携帯電話端末との間の通信処理手順の一例を示すシーケンス図である。
【００７３】
フェーズ１（合成素材取得段階）では、まず、伝送路接続（接続処理）が実施され（Ｓ１８０）、非接触ＩＣを用いたサービス料金の支払い処理が実施される（Ｓ１８１）。
【００７４】
この料金の支払いの態様としては、フェーズ１（合成素材取得）についての料金のみを支払う場合と、フェーズ１およびフェーズ３（印刷出力）の料金を一括払いする方法もある。また、支払い形態に応じて、サービス提供側でサービスの付与、追加も可能である（料金割引、特典シール台帳の提供など）。
【００７５】
次に、合成素材提供（合成処理の有効化）を実施する（Ｓ１８３）。
【００７６】
続いて、料金支払い者管理データベース４０の更新処理を実施し（Ｓ１８４）、伝送路切断処理が実施される（Ｓ１８５）。
【００７７】
フェーズ２（合成画像作成段階）では、ユーザの選択に応じて（Ｓ１８６）、画像・素材の取得（収集）処理（Ｓ１８７）、画像合成処理（Ｓ１８８）が適宜、実施され、ユーザの選択に応じて（Ｓ１８９）、それらの処理を繰り返して、好みの合成画像を作成することができる。
【００７８】
フェーズ３（印刷出力段階）では、まず、伝送路接続処理が実施される（Ｓ１９０）。次に、印刷処理要求（Ｓ１９１）、認証用固有情報送信（Ｓ１９２）、料金支払い者管理データベース４０の更新（Ｓ１９３）、必要に応じたサービス料金の支払いがなされる（Ｓ１９４：Ｓ１８１にて一括支払いが済んでいるときは省略化。Ｓ１８１と同様に、サービスの付与、追加が可能）。
【００７９】
続いて、印刷処理（Ｓ１９５）、印刷制限の更新（Ｓ１９６：例えば、利用回数に制限がある場合に、実際の利用回数を更新する）が実施され、最後に切断処理がなされる（Ｓ１９７）。
【００８０】
次に、フェーズ１（サービス拠点装置からオリジナル素材の提供を受ける段階）における通信手順ならびに各部における処理手順について、より具体的に説明する。
【００８１】
図５および図６は、本発明の携帯端末を使用した画像印刷サービス提供方法のフェーズ１における、ユーザと携帯電話端末とサービス拠点装置との間の通信手順ならびに各部における処理手順の具体的な内容を示すシーケンス図である。
【００８２】
また、以下の説明では、図１０に示される、携帯電話端末３０の表示部３７上に表示される画面例を適宜、参照する。また、以下の処理手順中の、携帯電話端末３０内の画像管理データベース４５におけるデータ管理の具体例は図１２に示されており、以下の説明では、図１２も適宜、参照する。
【００８３】
図５において、まず、伝送路確立処理（接続処理）を行う（Ｓ２００）。
【００８４】
続いて、携帯電話端末３０の表示部３７上にサービス選択画面（画面表示（１）：図１０（ａ）参照）が表示される（Ｓ２０１）。図１０（ａ）に示されるように、「サービス選択画面」というタイトルと共に、「１．合成素材取得、２．画像シール印刷」というサービスの選択肢が提示される。
【００８５】
次に、ユーザＰがサービス選択を実施し（Ｓ２０２）、ここでは、合成素材取得処理を選択する（Ｓ２０３）。
【００８６】
携帯電話端末３０は、通信デバイスＡを用いて、合成素材一覧要求をサービス拠点装置２０に送信する（Ｓ２０４）。
【００８７】
これに応えて、サービス拠点装置２０は、合成素材データベース２１に保存されている合成素材データを返信する（Ｓ２０５）。ただし、この時点では、料金の支払いが確認されていない段階であることから、その合成素材データは、携帯電話端末３０上で利用不可である。
【００８８】
提供された合成素材データを受信した携帯電話端末３０は、その合成素材データを画像管理データベース４５（図３参照）に登録する。
【００８９】
この場合の画像管理データベース４５７の状態（図５において、Ｐｈ１−ＤＢ（１）と記載される）が、図１２（ａ）に示される。すなわち、取得した合成素材データに端末内固有のＩＤを割り振ると共に、ファイル名（フレーム００１、フレーム００２、スタンプＡ、スタンプＢ）を記憶し、各々の合成素材データについて、有効／無効を示すフラグをノンアクティブとして、すべての合成素材データを無効（つまり、利用不可）とする。
【００９０】
続いて、サービス拠点装置２０は、携帯電話端末装置３０に合成素材付随情報（利用料金や、利用制限データ（利用期限や利用限度回数等））を送信する（Ｓ２０６）。
【００９１】
次に、携帯電話端末３０において、合成素材と制限情報の設定処理を行う（Ｓ２０７）。すなわち、携帯電話端末３０内において、提供された合成素材と付随情報を対応付けし、画像管理データベース４５を更新する。
【００９２】
この場合の画像管理データベース４５の状態（図５において、Ｐｈ１−ＤＢ（２）と記載される）は、図１２（ｂ）に記載されるとおりである。すなわち、各合成素材データに、有効回数や有効期限等の制限情報が付加される。
【００９３】
図５に戻り、次に、携帯電話端末３０の表示部３７には、取得可能素材一覧表示（画面表示（２）：図１０（ｂ）参照）が表示される。図１０（ｂ）に示されるように、素材一覧のタイトルと共に、素材の種類（フレーム、スタンプ）、料金、使用可能回数、使用期限等の制限情報がユーザＰに提示される。
【００９４】
図５において、ユーザＰは、操作部３９を操作して、素材を選択し、取得処理実行を選択する（Ｓ２０９）。
【００９５】
次に、携帯電話端末３０の表示部３７には、支払い形態選択画面（画面表示（３）：図１０（ｃ）参照）が表示される（Ｓ２１０）。図１０（ｃ）に示されるように、「支払い形態」というタイトルと共に、料金の支払い形態の選択項目（素材の取得料金のみを支払うか、印刷料金込みで一括支払いをするか、キャンセルするか）がユーザに提示される。
【００９６】
ユーザＰは、操作部３９を操作して支払い形態を選択する（Ｓ２１１）。ここでは、素材取得の料金のみの支払いを選択するものとする。
【００９７】
携帯電話端末３０は、ユーザＰが選択した合成素材について、通信デバイスＡを用いて合成素材処理を有効化する要求（先に取得した素材を利用可能とするための要求）を送信する（Ｓ２１２）。
【００９８】
次に、図６に示されるように、サービス拠点装置２０は、非接触ＩＣカードを用いた読み込みを開始する（Ｓ２２０）。
【００９９】
すなわち、通信デバイスＡを用いて、要求された合成素材について、携帯電話端末３０内における合成処理を有効化するための料金（必要に応じて、印刷料金）を併せて要求する（Ｓ２２１）。ユーザが選択した支払い形態に応じた料金の徴収を行うものである。
【０１００】
携帯電話端末３０では、表示部３７上に支払い画面（画面表示（４）：図１０（ｄ）参照）が表示される（Ｓ２２２）。図１０（ｄ）に示されるように、「料金支払い」というタイトルと共に合成素材取得のみの料金が示され、さらに、「ＩＣ読み込みを行って下さい」という、ユーザに機器操作を促すメッセージ文が提示される。
【０１０１】
ユーザＰは、そのメッセージ文に従ってサービス料金の支払いのための操作を行う（Ｓ２２３）。
【０１０２】
携帯電話端末３０は、通信デバイスＢを用いて、サービス料金の支払い処理を実施し（Ｓ２２４）、続いて、通信デバイスＢを用いて、認証用固有情報を送信する（Ｓ２２５）。
【０１０３】
サービス拠点装置２０側では、料金支払い者データベース４０を更新する（Ｓ２２６）。料金の支払いが確認されると、料金支払い者管理データベース４０に認証用固有情報を記憶する。
【０１０４】
次に、サービス拠点装置２０は、通信デバイスＡを用いて合成素材有効化の許可を送信する（Ｓ２２７）。すなわち、料金を支払った素材に関して利用を許可する。
【０１０５】
携帯電話端末３０内では、合成素材の有効化処理を実施する（Ｓ２２８）。この場合の画像管理データベース３８の状態（Ｐｈ１−ＤＢ（３））が、図１２（ｃ）に示される。図１２（ｃ）に示されるように、フレーム００１ならびにスタンプＢについて料金の支払いがなされたため、この二つの素材について有効化処理がなされ、画像合成用素材として使用が可能となる。
【０１０６】
次に、サービス拠点装置２０は、通信デバイスＡを用いて料金の支払いを確認したことを通知する（Ｓ２２９）。携帯電話端末３０の表示部３７上には、取得処理完了画面（画面表示（５）：図１０（ｅ）参照）が表示される。
【０１０７】
すなわち、図１０（ｅ）に示されるように、「取得完了」というタイトルと共に、「素材取得完了  伝送路を切断して下さい」というメッセージ文が、ユーザＰに提示される。
【０１０８】
そして、伝送路の切断処理がなされ（Ｓ２３１）、フェーズ１が終了する。
【０１０９】
次に、フェーズ２（ユーザの携帯電話端末を用いた、自由な画像収集や画像合成処理を実施する段階）における処理手順について、より具体的に説明する。
【０１１０】
図７は、本発明の携帯端末を使用した画像印刷サービス提供方法のフェーズ２における、ユーザと携帯電話端末とサービス拠点装置との間の通信手順ならびに各部における処理手順の具体的な内容を示すシーケンス図である。
【０１１１】
また、以下の処理手順中の、携帯電話端末３０内の画像管理データベース４５におけるデータ管理の具体例は図１２に示されており、以下の説明では、図１２も適宜、参照する。
【０１１２】
図７に示されるように、ユーザＰは、携帯電話端末３０に付属するカメラ３２を用いた画像撮影等を行うべく、携帯電話端末３０の操作部３９により所定の入力操作を行う（Ｓ２３９）。
【０１１３】
以下、ユーザＰの要望に応じて処理が分岐し（Ｓ２４０）、合成画像を作成する場合には画像合成処理が実施され（Ｓ２４１）、合成画像を作成するための素材を取得する場合には、画像素材取得処理が実施される（Ｓ２４２）。
【０１１４】
画像合成処理（Ｓ２４１）では、画像管理データベース４５に保存してある画像（提供された素材ならびに自ら撮影して収集した画像）が読み出され、画像合成処理部３６によって画像合成が実施される。
【０１１５】
画像合成処理は、基本的には、合成対象の画像の拡大／縮小と、併行移動／回転と、必要に応じて画像変換処理（例えば、ぼかし等の処理）と、を組み合わせることにより実現される。
【０１１６】
また、合成素材取得処理（Ｓ２４２）では、カメラ３２による撮影による画像収集の他、その収集した画像を、携帯電話端末３０がもつ画像処理機能を用いて適宜、加工し、新たな画像を作成するというような処理も実施可能である。
【０１１７】
上記の処理を繰り返し行う場合には（Ｓ２４３）、何回でも自由に、画像合成処理や合成素材取得処理を実施することが可能である。
【０１１８】
図７の合成処理（Ｓ２４１）が行われた場合の、携帯電話端末３０内の画像管理データベース４５の状態（Ｐｈ２−ＤＢ（１））が、図１２（ｄ）に示される。すなわち、提供された素材を使用して作成された合成画像（素材使用画像）にＩＤ番号を付与して管理する。これは、使用期限が経過して、提供素材を無効化（つまり消去）する際に、その素材に基づいて作成された合成画像も消去する必要があるためである。
【０１１９】
次に、フェーズ３（印刷出力処理）の通信手順ならびに各部における処理手順について、より具体的に説明する。
【０１２０】
図８および図９は、本発明の携帯端末を使用した画像印刷サービス提供方法のフェーズ３における、ユーザと携帯電話端末とサービス拠点装置との間の通信手順ならびに各部における処理手順の具体的な内容を示すシーケンス図である。
【０１２１】
また、以下の説明では、図１０ならびに図１１に示される、携帯電話端末３０の表示部３７上に表示される画面例を適宜、参照する。また、以下の処理手順中の、携帯電話端末３０内の画像管理データベース４５におけるデータ管理の具体例は図１２に示されており、以下の説明では、図１２も適宜、参照する。
【０１２２】
まず、伝送路確立処理が実施される（Ｓ２５０）。
【０１２３】
次に、携帯電話端末３０の表示部３７上に、サービス選択画面（画面表示（６）：図１０（ａ）参照）が表示される。
【０１２４】
ユーザＰは、サービス選択画面を見ながらサービスを選択する（Ｓ２５２−１）。すなわち、印刷処理を選択する（Ｓ２５２−２）。
【０１２５】
携帯電話端末３０の表示部３７上において、画像選択表示（画像表示（７）：図１１（ａ）参照）が表示される（Ｓ２５３）。すなわち、図１１（ａ）に示されるように、「印刷画像選択」というタイトルと共に、合成画像の一覧が表示される。各合成画像には、使用制限に関するデータも付加されている。
【０１２６】
ユーザＰは、合成画像一覧を参照して、印刷する合成画像を選択し、印刷処理実行を選択する（Ｓ２５４）。
【０１２７】
次に、携帯電話端末３０は、通信デバイスＡを用いて印刷処理要求を、サービス拠点装置２０に送信する（Ｓ２５５）。サービス拠点装置２０は、通信デバイスを用いて、機器認証のための情報送信を要求する（Ｓ２５６）。
【０１２８】
携帯電話端末の表示部３７上には、認証処理中を示す画面（画面表示（８）：図１１（ｂ）参照）が表示される。すなわち、図１１（ｂ）に示すように、「機器認証」というタイトルと共に、「印刷料金の入金確認をします。お待ち下さい」というメッセージ文がユーザＰに提示される。
【０１２９】
携帯電話端末３０は、通信デバイスＡを用いて、認証用固有情報を送信する（Ｓ２５８）。このとき、フェーズ１にて非接触ＩＣを用いて送信した携帯端末の固有情報が再度、送信される。
【０１３０】
次に、サービス拠点装置２０は、料金支払い者データベース４０の照合処理を行う（Ｓ２５９）。すなわち、携帯電話端末３０から送られてきた固有情報を、料金支払い者管理データベース４０に保存されている認証用固有情報と照合する。
【０１３１】
次に、印刷代金が支払い済みかを判定し（Ｓ２６０）、支払い済みならば、図９のＳＴに進み、支払いが完了していない場合には、通信デバイスＡを用いて印刷料金を要求する（Ｓ２６１）。
【０１３２】
続いて、図９に示される処理が実施される。
【０１３３】
図９に示されるように、携帯電話端末３０の表示部３７上には、支払い画面（画面表示（９）：図１１（ｃ）参照）が表示される。すなわち、図１１（ｃ）に示されるように、「料金支払い」というタイトルと共に、印刷料金と、「ＩＣ読み込みを行って下さい」というメッセージ文がユーザＰに提示される。
【０１３４】
ユーザＰは、通信デバイスＢを用いたサービス料金（印刷料金）の支払い操作を実施する（Ｓ２７１）。
【０１３５】
携帯電話端末３０は、通信デバイスＢを用いてサービス料金（印刷料金）の支払い処理を行う（Ｓ２７２）。サービス拠点装置２０は、通信デバイスＡを用いて、料金の支払いを確認したことを通知する（Ｓ２７３）。
【０１３６】
携帯電話端末３０の表示部３７上には、支払いＯＫ画面（画面表示（１０）：図１１（ｄ）参照）が表示される。すなわち、図１１（ｄ）に示されるように、「支払い確認」というタイトルと共に、「印刷料金の入金を確認しました。印刷を行います」というメッセージ文がユーザＰに提示される。
【０１３７】
サービス拠点装置２０は、印刷処理を実施する（Ｓ２７５）。これにより、合成画像が写真シール等として出力される（シール以外の形式で出力することも可能である）。
【０１３８】
そして、サービス拠点装置２０内の料金支払いデータベース４０のデータが更新される（Ｓ２７６）。認証用固有情報の更新等がなされる。
【０１３９】
次に、通信デバイスＡを用いて、サービス拠点装置２０は、携帯電話端末３０に印刷完了通知を送信する（Ｓ２７７）。
【０１４０】
携帯電話端末３０は、画像管理データベース４５内の、提供されたオリジナル合成素材についての制限情報を更新する（Ｓ２７８）。
【０１４１】
そして、使用可能回数がゼロになった（あるいは、有効期限が切れた）合成素材（ならびに、その合成素材を用いて合成された合成画像）を消去する処理（合成素材削除処理）が実施される（Ｓ２７９）。
【０１４２】
この場合の画像管理データベース３８の状態（Ｐｈ３−ＤＢ（１））が、図１２（ｅ）に示される。すなわち、図１２（ｅ）に示されるように、使用可能回数がゼロになった素材を無効化し（Ｍ１）、次のステップにて、データの削除が行われる（Ｍ２）。
【０１４３】
次に、携帯電話端末３０の表示部３７上に、印刷処理完了画面（画面表示（１１）：図１１（ｅ）参照）が表示される。図１１（ｅ）に示されるように、「印刷完了」というタイトルと共に、「印刷完了  伝送路を切断して下さい」というメッセージ文が、ユーザＰに提示される（Ｓ２８０）。
【０１４４】
そして、伝送路の切断処理がなされる（Ｓ２８１）。
【０１４５】
このように、本発明によれば、テーマパークなどの長い待ち時間などを利用するなど、物理的、時間的に自由な状況下で記念に残すための顔写真シール等の作成を行うことができる画像印刷サービスを実現することができる。
【０１４６】
また、レストランや居酒屋などのスペースの限られた場所においても利用可能な画像印刷サービスを実現することができる。
【０１４７】
また、サービス拠点装置が保有する合成フレーム情報（オリジナル素材情報）を確認した上で、ベースとなる素材(主に写真)の構図などを適宜変更でき、よりユーザの要求をシールのデザインに反映することが可能な画像印刷サービスを実現することができる。
【０１４８】
また、携帯端末（携帯電話端末等）からの料金支払いによる課金の仕組みをつくり、上記のサービスを、営業として成り立つ有料サービスとして成立させることができる。
【０１４９】
以上説明したように、本発明によって、合成画像の印刷サービスを提供するに際し、ユーザがシール販売機等に拘束される時間を短くすることができる。
【０１５０】
また、画像印刷に用いる素材選択の自由度を格段に高めることができる。思い出に残るシーンをタイムリーに撮影しておき、その後にシールとして印刷することもでき、したがって、記念に残る楽しいシーンを取り込んだ、価値のある顔写真シール等を作成（印刷）することが可能となる。
【０１５１】
また、画像合成の態様もユーザが適宜、選択できるようになり、多様な画像合成が可能となる。
【０１５２】
また、オリジナル素材の提供は、有効距離に制限のある短距離データ通信によって行われるため、そのサービスを受けるためには、ユーザは、必ずサービス拠点装置が設置されているエリアに足を運ぶ必要があり、したがって、提供されるオリジナル素材のご当地性を確保できると共に集客効果も期待できる。
【０１５３】
また、提供されるオリジナル素材に有効期限や使用頻度等の制限を課すことによって、リピータを増やす効果も期待できる。
【０１５４】
また、本発明のサービス方法では、オリジナル素材の提供サービスと印刷サービスのみに課金するため、サービス料金の低価格化も行える。
【０１５５】
また、サービス拠点装置は、機能が簡略化されている分、装置の小型化が可能であり、省スペース化、装置コストの低減が可能となる。
【０１５６】
また、複数台のサービス拠点装置を接続してネットワークを形成することも容易にでき、したがって、ユーザが、身近なサービス拠点装置を利用して、手軽にサービスを受けることも可能となる。
【０１５７】
また、提供するオリジナル素材を各サービス拠点装置の設置場所に対応させて異ならせたり、そのエリア内のアトラクションの利用状況に応じてサービス料金を割り引く等の、そのエリアならではの総合的なサービスの提供も可能となり、自由度の高い、組織的なサービスシステムを構築できる。
【０１５８】
本発明によって、テーマパークにおけるアトラクション利用時の長い待ち時間を利用して、手軽に、記念に残すための顔写真シールの作成を行うことや、レストランや居酒屋などにおいて、会食や宴会の楽しい雰囲気を反映させた、思い出に残る顔写真シールをタイムリーに作成することができるようになる。
【０１５９】
したがって、ユーザにとっても、また、サービス拠点装置が設置された場所で営業している営業者にとっても有益な、新規な画像印刷サービスを実現することができる。
【産業上の利用可能性】
【０１６０】
本発明は、画像選択の自由度を高め、思い出になるシーンを取り込んだ、価値のある顔写真シール等を作成することができるという効果を奏し、したがって、携帯端末装置を用いた合成画像印刷システム、そのシステムに用いるサービス拠点装置、および、合成画像印刷サービス提供方法として有用である。
【図面の簡単な説明】
【０１６１】
【図１】本発明の携帯端末（ここでは、携帯電話端末とする）を使用した画像印刷サービス方法の特徴点を説明するための図
【図２】本発明の携帯端末を使用した画像印刷サービス方法の運用態様の一例（テーマパークにおける運用例）を説明するための図
【図３】本発明の携帯端末を使用した画像印刷サービス方法に使用される、携帯電話機とサービス拠点装置の具体的な内部構成（ならびに、本発明のサービスシステムの全体構成）を示すブロック図
【図４】サービス拠点装置と携帯電話端末との間の通信処理手順の一例を示すシーケンス図
【図５】本発明の携帯端末を使用した画像印刷サービス提供方法のフェーズ１における、ユーザと携帯電話端末とサービス拠点装置との間の通信手順ならびに各部における処理手順の具体的な内容を示すシーケンス図
【図６】本発明の携帯端末を使用した画像印刷サービス提供方法のフェーズ１における、ユーザと携帯電話端末とサービス拠点装置との間の通信手順ならびに各部における処理手順の具体的な内容を示すシーケンス図
【図７】本発明の携帯端末を使用した画像印刷サービス提供方法のフェーズ２における、ユーザと携帯電話端末とサービス拠点装置との間の通信手順ならびに各部における処理手順の具体的な内容を示すシーケンス図
【図８】本発明の携帯端末を使用した画像印刷サービス提供方法のフェーズ３における、ユーザと携帯電話端末とサービス拠点装置との間の通信手順ならびに各部における処理手順の具体的な内容を示すシーケンス図
【図９】本発明の携帯端末を使用した画像印刷サービス提供方法のフェーズ３における、ユーザと携帯電話端末とサービス拠点装置との間の通信手順ならびに各部における処理手順の具体的な内容を示すシーケンス図
【図１０】（ａ）〜（ｅ）は、携帯電話端末の表示部上に表示される画面表示例を示す図
【図１１】（ａ）〜（ｅ）は、携帯電話端末の表示部上に表示される画面表示例を示す図
【図１２】（ａ）〜（ｅ）は、携帯電話端末内の画像管理データベースにおける管理データの具体例を示す図
【符号の説明】
【０１６２】
１０  入場ゲート
１２  退場ゲート
２０（２０ａ〜２０ｅ）  サービス拠点装置
２１  合成素材データベース
２２  写真シール印刷デバイス
３０  携帯端末（携帯電話端末）
３１  無線通信部
３２  カメラ
３３  制御部
３４  短距離データ通信インタフェース（Ｉ／Ｆ）
３５  ネットワーク接続部
３６  画像合成部
３７  表示部
３８  画像メモリ
３９  操作部
４０、２５  料金支払い者管理データベース
４１、２６  通信デバイスＡ（ＵＳＢケーブルや赤外通信等の短距離データ通信デバイス）
４２  課金管理装置
４３  通信デバイスＢ（非接触ＩＣカードデバイス）
５０  写真シール等の出力画像
１００  所定エリア（サービス実施エリア）
１０２  テーマパーク
Ｑ  非接触ＩＣ通信路
Ｒ  ＵＳＢケーブル伝送路
Ｐ  ユーザ
Ｕ  ユーザＰの友達
Ｘ１、Ｙ１、Ｚ１  アトラクション
ＡＮ  アンテナ
ＳＴ  提供されたオリジナル素材による外枠
ＭＳ  提供されたオリジナル素材によるワンポイントマーク
【図１】
2006293469.tif 000003
【図２】
2006293469.tif 000004
【図３】
2006293469.tif 000005
【図４】
2006293469.tif 000006
【図５】
2006293469.tif 000007
【図６】
2006293469.tif 000008
【図７】
2006293469.tif 000009
【図８】
2006293469.tif 000010
【図９】
2006293469.tif 000011
【図１０】
2006293469.tif 000012
【図１１】
2006293469.tif 000013
【図１２】
2006293469.tif 000014